(57)【要約】【課題】  第１表示装置、保留装置、及び第２表示装置を備えても、遊技盤面上の遊技領域が狭くなることを防ぎ、かつ設計自由度の向上を図ることが可能な遊技機及びその遊技盤を提供する。【解決手段】  パチンコ機１には、遊技盤７に、大当たり抽選実行の契機となり得る入賞が行われる始動チャッカー１６と、大当たり抽選の結果を表示する第１表示装置４７と、大当たり抽選に関与しない入賞が行われる入賞口４８と、保留部５０に保留された遊技球Ｂａを入賞口４８に向けて放出し得る保留装置２５と、画像を表示し得る第２表示装置４６とが備えられている。保留装置２５の保留部５０は、遊技盤７の表面側に打ち出された遊技球Ｂａを導入して遊技盤７の裏側にて保留し得るように構成されており、第２表示装置４６は、遊技盤７の垂直方向に対して保留部５０に重なる位置に配置されている。【選択図】      図１
2006109996.tif 000002
【特許請求の範囲】
【請求項１】
遊技盤に、大当たり抽選実行の契機となり得る入賞が行われる始動入賞口と、大当たり抽選の結果を表示する第１表示装置と、大当たり抽選に関与しない入賞が行われる入賞口と、を備える遊技機であって、
前記遊技盤の表面側に打ち出された遊技球のうちの所定数を導入して前記遊技盤の裏側にて保留し得る保留部を有し、前記保留部に保留された遊技球を前記入賞口に向けて放出し得る保留装置と、
前記遊技盤の垂直方向に対して前記保留部に少なくとも一部が重なる位置に配置され、画像を表示し得る第２表示装置と、を備えた、
ことを特徴とする遊技機。
【請求項２】
前記保留装置による放出の実行に関する抽選を行う放出抽選手段を備え、
前記第２表示装置は、前記放出抽選手段による抽選結果を表示する、
ことを特徴とする請求項１記載の遊技機。
【請求項３】
前記保留装置は、閉止状態にて前記保留部に遊技球を保留し、開放状態にて前記保留部の遊技球を放出する放出側開閉弁を有し、
前記放出側開閉弁は、前記放出抽選手段の抽選結果に基づき開閉される、
ことを特徴とする請求項２記載の遊技機。
【請求項４】
前記保留装置は、閉止状態にて前記遊技盤の表面側と前記保留部との間を遮断し、開放状態にて前記遊技盤の表面側と前記保留部との間を連通する導入側開閉弁と、前記保留部に所定数の遊技球が保留されるまで閉止して前記保留部に遊技球を保留し、かつ前記保留部に所定数の遊技球が保留された際に開放して前記保留部の遊技球を放出する放出側開閉弁と、を有し、
前記導入側開閉弁は、前記放出抽選手段の抽選結果に基づき開閉される、
ことを特徴とする請求項２記載の遊技機。
【請求項５】
前記遊技盤に、前記放出抽選手段の抽選実行の契機となり得る入賞が行われる放出抽選用入賞口を備えた、
ことを特徴とする請求項２ないし４のいずれか記載の遊技機。
【請求項６】
前記第２表示装置は、半透明画像を表示し得、前記保留部に対して前記遊技盤側に配置される、
ことを特徴とする請求項１ないし５のいずれか記載の遊技機。
【請求項７】
前記第２表示装置は、前記遊技盤の表面の一部を構成する、
ことを特徴とする請求項６記載の遊技機。
【請求項８】
前記第２表示装置は、前記遊技盤に対し、前記保留部の裏側に配置される、
ことを特徴とする請求項１ないし５のいずれか記載の遊技機。
【請求項９】
前記第２表示装置は、前記遊技盤の垂直方向にて前記保留部と重ならない部分に画像を表示する、
ことを特徴とする請求項７記載の遊技機。
【請求項１０】
前記遊技盤の垂直方向にて前記第２表示装置及び前記保留部に対応する位置に配置され、前記第２表示装置及び前記保留部を視認可能に透過すると共に前記遊技盤の表面の一部を構成する透明板を備えた、
ことを特徴とする請求項８または９記載の遊技機。
【請求項１１】
盤面上に、大当たり抽選実行の契機となり得る入賞が行われる始動入賞口と、大当たり抽選の結果を表示する第１表示装置と、大当たり抽選に関与しない入賞が行われる入賞口と、を備える遊技盤であって、
前記盤面の表面側に打ち出された遊技球のうちの所定数を導入して前記盤面の裏側にて保留し得る保留部を有し、前記保留部に保留された遊技球を前記入賞口に向けて放出し得る保留装置と、
前記盤面の垂直方向に対して前記保留部に少なくとも一部が重なる位置に配置され、画像を表示し得る第２表示装置と、を備えた、
ことを特徴とする遊技盤。
【発明の詳細な説明】
【技術分野】
【０００１】
本発明は、パチンコ機等の遊技機及びその遊技盤に関し、詳しくは、第１表示装置、保留装置、及び第２表示装置を備えている遊技機及びその遊技盤に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたもの（所謂フィーバー機：以下、「第１種特別電動役物」という）が知られている（特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技盤の中央部分に設けられた液晶等からなる第１表示装置（以下、「メイン表示装置」という）の画面上で所定の演出表示が行われる。大当たりの発生時には、アタッカーと呼ばれる大入賞口が開放し、入球に対応して多量の遊技球が払い出される状態となる。
【０００４】
一方、遊技盤面上に所定数の遊技球を保留する保留部を有し、例えば所定の条件が成立したことを契機に、保留部に保留した遊技球を役物や入賞口など向けて放出する保留装置を備えて構成されたものも提案されている（特許文献２参照）。
【０００５】
【特許文献１】特開２００３−２３６２１０号公報
【特許文献２】特開２００１−３３４０４１号公報
【発明の開示】
【発明が解決しようとする課題】
【０００６】
ところで、近年、上述したような第１種特別電動役物のパチンコ機は、液晶技術の発達等に起因してメイン表示装置の大型化がなされ、演出性の向上等が図られている。しかしながら、そのような大型のメイン表示装置が遊技盤面上に配置された上に、上述したような保留装置が遊技盤面上に配置され、更に例えば保留装置の放出に関する演出を表示するための第２表示装置も遊技盤面上に配置されると、当該遊技盤面上の遊技領域が狭くなり、パチンコ機としての遊技性を損なう虞があると共に、遊技者が各入賞口や始動チャッカー等を狙うことを可能にするためには、それらメイン表示装置、保留装置、第２表示装置などの盤面上の配置に関する設計自由度を失い、パチンコ機としての趣向を増すことを妨げてしまう虞もあった。
【０００７】
そこで本発明は、メイン表示装置、保留装置、及び第２表示装置を備えても、遊技盤面上の遊技領域が狭くなることを防ぎ、かつ設計自由度の向上を図ることが可能な遊技機及びその遊技盤を提供することを目的とするものである。
【課題を解決するための手段】
【０００８】
請求項１に係る本発明は（例えば図１乃至図１１参照）、遊技盤（７）に、大当たり抽選実行の契機となり得る入賞が行われる始動入賞口（１６）と、大当たり抽選の結果を表示する第１表示装置（４７）と、大当たり抽選に関与しない入賞が行われる入賞口（例えば４８）と、を備える遊技機（１）であって、
前記遊技盤（７）の表面側に打ち出された遊技球（Ｂａ）のうちの所定数を導入して前記遊技盤（７）の裏側にて保留し得る保留部（５０）を有し、前記保留部（５０）に保留された遊技球（Ｂａ）を前記入賞口（４８）に向けて放出し得る保留装置（２５）と、
前記遊技盤（７）の垂直方向に対して前記保留部（５０）に少なくとも一部が重なる位置に配置され、画像を表示し得る第２表示装置（４６，８１）と、を備えた、
ことを特徴とする遊技機（１）にある。
【０００９】
請求項２に係る本発明は（例えば図１乃至図１１参照）、前記保留装置（２５）による放出の実行に関する抽選を行う放出抽選手段（７０）を備え、
前記第２表示装置（４６，８１）は、前記放出抽選手段（７０）による抽選結果を表示する、
ことを特徴とする請求項１記載の遊技機（１）にある。
【００１０】
請求項３に係る本発明は（例えば図１乃至図１１参照）、前記保留装置（２５）は、閉止状態にて前記保留部（５０）に遊技球（Ｂａ）を保留し、開放状態にて前記保留部（５０）の遊技球（Ｂａ）を放出する放出側開閉弁（５５）を有し、
前記放出側開閉弁（５５）は、前記放出抽選手段（７０）の抽選結果に基づき開閉される、
ことを特徴とする請求項２記載の遊技機（１）にある。
【００１１】
請求項４に係る本発明は（例えば図１乃至図１１参照）、前記保留装置（２５）は、閉止状態にて前記遊技盤（７）の表面側と前記保留部（５０）との間を遮断し、開放状態にて前記遊技盤（７）の表面側と前記保留部（５０）との間を連通する導入側開閉弁（５３）と、前記保留部（５０）に所定数の遊技球（Ｂａ）が保留されるまで閉止して前記保留部（５０）に遊技球（Ｂａ）を保留し、かつ前記保留部（５０）に所定数の遊技球（Ｂａ）が保留された際に開放して前記保留部（５０）の遊技球（５０）を放出する放出側開閉弁（５５）と、を有し、
前記導入側開閉弁（５５）は、前記放出抽選手段（７０）の抽選結果に基づき開閉される、
ことを特徴とする請求項２記載の遊技機（１）にある。
【００１２】
請求項５に係る本発明は（例えば図１乃至図１１参照）、前記遊技盤（７）に、前記放出抽選手段（７０）の抽選実行の契機となり得る入賞が行われる放出抽選用入賞口（例えば２８）を備えた、
ことを特徴とする請求項２ないし４のいずれか記載の遊技機（１）にある。
【００１３】
請求項６に係る本発明は（例えば図１乃至図８参照）、前記第２表示装置（４６）は、半透明画像を表示し得、前記保留部（５０）に対して前記遊技盤（７）側に配置される、
ことを特徴とする請求項１ないし５のいずれか記載の遊技機（１）にある。
【００１４】
請求項７に係る本発明は（例えば図１乃至図８参照）、前記第２表示装置（４６）は、前記遊技盤（７）の表面の一部を構成する、
ことを特徴とする請求項６記載の遊技機（１）にある。
【００１５】
請求項８に係る本発明は（例えば図９乃至図１１参照）、前記第２表示装置（８１）は、前記遊技盤（７）に対し、前記保留部（５０）の裏側に配置される、
ことを特徴とする請求項１ないし５のいずれか記載の遊技機（１）にある。
【００１６】
請求項９に係る本発明は（例えば図９乃至図１１参照）、前記第２表示装置（８１）は、前記遊技盤（７）の垂直方向にて前記保留部（５０）と重ならない部分に画像を表示する、
ことを特徴とする請求項７記載の遊技機（１）にある。
【００１７】
請求項１０に係る本発明は（例えば図９乃至図１１参照）、前記遊技盤（７）の垂直方向にて前記第２表示装置（８１）及び前記保留部（５０）に対応する位置に配置され、前記第２表示装置（８１）及び前記保留部（５０）を視認可能に透過すると共に前記遊技盤（７）の表面の一部を構成する透明板（８０）を備えた、
ことを特徴とする請求項８または９記載の遊技機（１）にある。
【００１８】
請求項１１に係る本発明は（例えば図１乃至図１１参照）、盤面上に、大当たり抽選実行の契機となり得る入賞が行われる始動入賞口（１６）と、大当たり抽選の結果を表示する第１表示装置（４７）と、大当たり抽選に関与しない入賞が行われる入賞口（例えば４８）と、を備える遊技盤（７）であって、
前記盤面の表面側に打ち出された遊技球（Ｂａ）のうちの所定数を導入して前記盤面の裏側にて保留し得る保留部（５０）を有し、前記保留部（５０）に保留された遊技球（Ｂａ）を前記入賞口（４８）に向けて放出し得る保留装置（２５）と、
前記盤面の垂直方向に対して前記保留部（５０）に少なくとも一部が重なる位置に配置され、画像を表示し得る第２表示装置（４６，８１）と、を備えた、
ことを特徴とする遊技盤（７）にある。
【００１９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００２０】
請求項１に係る本発明によると、保留装置の保留部を、遊技盤の表面側に打ち出された遊技球のうちの所定数を導入して遊技盤の裏側にて保留し得るようにし（即ち遊技盤の裏側に配置し）、第２表示装置を、遊技盤の垂直方向に対して保留部に少なくとも一部が重なる位置に配置したので、それら保留装置と第２表示装置とを遊技盤の盤面上に夫々別々の位置に配置する場合に比して、盤面上の遊技領域が狭くなることを防ぐことができ、遊技機としての遊技性を損なうことを防ぐことができる。
【００２１】
また、それら保留装置の保留部と第２表示装置とが遊技球の通過する通り道を阻害しないように構成することができるので、遊技者が各入賞口や始動チャッカー等を狙うことを可能にするものでありながら、第１表示装置、保留装置、第２表示装置などの盤面上の配置に関する設計自由度を向上することができ、遊技機としての趣向を増すことができる。
【００２２】
請求項２に係る本発明によると、保留装置の保留部に少なくとも一部が重なっている第２表示装置が、保留装置による放出の実行に関する抽選の結果を表示するので、遊技者が一見して保留装置の動作に関して認識することができる。
【００２３】
請求項３に係る本発明によると、保留装置は、閉止状態にて保留部に遊技球を保留し、開放状態にて保留部の遊技球を放出する放出側開閉弁を有しており、放出側開閉弁が、放出抽選手段の抽選結果に基づき開閉されるので、第２表示装置に表示される放出抽選手段の抽選結果どおりに保留装置が動作し、遊技球の保留・放出を行うようにすることができる。
【００２４】
請求項４に係る本発明によると、保留装置は、閉止状態にて遊技盤の表面側と保留部との間を遮断し、開放状態にて遊技盤の表面側と保留部との間を連通する導入側開閉弁と、保留部に所定数の遊技球が保留されるまで閉止して保留部に遊技球を保留し、かつ保留部に所定数の遊技球が保留された際に開放して保留部の遊技球を放出する放出側開閉弁とを有しており、導入側開閉弁が、放出抽選手段の抽選結果に基づき開閉されるので、第２表示装置に表示される放出抽選手段の抽選結果どおりに保留装置が動作し、遊技球の保留・放出を行うようにすることができる。
【００２５】
請求項５に係る本発明によると、遊技盤に、放出抽選手段の抽選実行の契機となり得る入賞が行われる放出抽選用入賞口を備えたので、該放出抽選用入賞口に遊技球が入賞することにより放出抽選手段による抽選を実行させることができる。
【００２６】
請求項６に係る本発明によると、第２表示装置は、半透明画像を表示し得、保留部に対して遊技盤側に配置されるので、遊技者に保留部を視認させることができるものでありながら、画像を表示させることができる。
【００２７】
請求項７に係る本発明によると、第２表示装置は、遊技盤の表面の一部を構成するので、盤面上の遊技領域を狭くすることを防ぐことができる。また、画像を表示するものでありながら、保留装置に遊技球が侵入することを防ぐ蓋部材として共用することができる。
【００２８】
請求項８に係る本発明によると、第２表示装置は、遊技盤に対し、保留部の裏側に配置されるので、つまり遊技領域内に配置されずに、該遊技領域を狭くすることを防ぐことができる。また、保留部の裏側に配置されるので、第２表示装置自体を透明化したり、半透明画像を表示したりすることを不要とすることができる。
【００２９】
請求項９に係る本発明によると、第２表示装置は、遊技盤の垂直方向にて保留部と重ならない部分に画像を表示するので、表示した画像が保留部に重なることを防ぐことができ、つまり表示した画像を遊技者に視認させるようにすることができる。
【００３０】
請求項１０に係る本発明によると、遊技盤の垂直方向にて第２表示装置及び保留部に対応する位置に配置され、第２表示装置及び保留部を視認可能に透過すると共に遊技盤の表面の一部を構成する透明板を備えたので、遊技者に第２表示装置及び保留部を視認させることができるものでありながら、保留装置に遊技球が侵入することを防ぐ蓋部材を構成することができる。
【００３１】
請求項１１に係る本発明によると、保留装置の保留部を、盤面の表面側に打ち出された遊技球のうちの所定数を導入して盤面の裏側にて保留し得るようにし（即ち盤面の裏側に配置し）、第２表示装置を、盤面の垂直方向に対して保留部に少なくとも一部が重なる位置に配置したので、それら保留装置と第２表示装置とを盤面上に夫々別々の位置に配置する場合に比して、盤面上の遊技領域が狭くなることを防ぐことができ、遊技性を損なうことを防ぐことができる。
【００３２】
また、それら保留装置の保留部と第２表示装置とが遊技球の通過する通り道を阻害しないように構成することができるので、遊技者が各入賞口や始動チャッカー等を狙うことを可能にするものでありながら、第１表示装置、保留装置、第２表示装置などの盤面上の配置に関する設計自由度を向上することができ、趣向を増すことができる。
【発明を実施するための最良の形態】
【００３３】
＜第１の実施の形態＞
以下、本発明に係る第１の実施の形態の遊技機及び遊技盤の一例として、遊技場等に設置されるパチンコ機及びその遊技盤を図１ないし図８に沿って説明する。
【００３４】
なお、図１は第１の実施の形態におけるパチンコ機の外部構造を示す正面図、図２は第１の実施の形態における遊技盤を示す正面図、図３は第１の実施の形態における保留装置及びサブ表示画面を示す拡大正面図、図４は第１の実施の形態における保留装置及びサブ表示画面を示す側面断面図、図５は遊技球放出状態の保留装置を示す側面断面図、図６は本パチンコ機の制御系を示すブロック図、図７は本パチンコ機における大当たり抽選処理を示すフローチャート、図８は本パチンコ機における保留装置の放出抽選処理を示すフローチャートである。なお、後述する遊技盤の遊技領域には多数の障害釘や複数の風車等が植設されているが、図１及び図２においてそれらは便宜上図示を省略している。また図２において、図１に示すガイドレール６２は便宜上図示を省略している。
【００３５】
本パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー（大入賞口）１７に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３６】
図１に示すように、本実施形態におけるパチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置１０が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００３７】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００３８】
また、前扉３における上皿１３の下方には下皿１５が配置されており、該下皿１５の左部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。
【００３９】
なお、図１中の符号６２は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００４０】
遊技盤７の遊技領域７ａには、図１及び図２に示すように、中央部分に第１表示装置（メイン表示装置）４７が配設されており、該メイン表示装置４７の上部左右及び下部左右には、大当たり抽選に関与しない一般の入賞が行われる入賞口２７，２９，４８が配設されている。メイン表示装置４７の下方には、始動チャッカー（始動入賞口）１６と、アタッカー１７とが順次配設されている。始動チャッカー１６は、後述の第１抽選手段３３による大当たり抽選実行の契機となり得る入賞が行われる役物であり、アタッカー１７は、大当たり発生時に開放され、遊技盤７の遊技領域７ａに打ち出されて転動落下する遊技球Ｂａを入賞させる役物である。アタッカー１７は、大当たり発生中、１回の開放で１０個の入球を完了した時点で閉じ、当該開閉動作を１５回繰り返すように構成されている。なお、これらの入球数並びに開閉動作の回数は、１０個や１５回に限定されることはなく、必要に応じて適宜設定され得るものである。
【００４１】
図１におけるメイン表示装置４７の右方上部には、詳しくは後述する放出抽選用入賞口２８が配設されており、該放出抽選用入賞口２８の下部であって、入賞口４８の上部には、遊技盤７に打ち出された遊技球Ｂａのうちの所定数（本実施の形態では５個）を一旦保留した後、これら遊技球Ｂａを全て入賞口４８に放出して入賞させるように構成された保留装置２５が配設されている。
【００４２】
保留装置２５は、図２ないし図４に示すように、遊技球Ｂａを受け入れる遊技球導入部５２を最上部に有しており、該遊技球導入部５２の前部には、遊技盤７に露出した形で遊技球導入部５２及び保留部５０に連通する開口部５７と、詳しくは後述する放出抽選手段７０の抽選結果に基づき開放又は閉止させ得るようにヒンジ５３ａを介して枢着された蓋体（導入側開閉弁）５３とが配設されている。
【００４３】
また、保留装置２５は、遊技球導入部５２の内部傾斜面５２ａを介して開口部５７に連通する上記保留部５０と、この保留部５０に遊技球Ｂａが既に５個保留されている状態で開口部５７から入球した遊技球Ｂａを遊技盤７背面側に排出する排出口５１と、保留部５０内方で上記放出抽選手段７０の抽選結果に基づき開放又は閉止させ得るようにヒンジ５５ａを介して枢支された放出規制弁（放出側開閉弁）５５とを備えている。
【００４４】
保留部５０は、遊技盤７の表面（つまり盤面）から裏面側に後退した状態にて、最大で５個の遊技球Ｂａを保留し得るように上記放出規制弁５５によって下部側を仕切られるようになっており、進入した遊技球Ｂａを、若干量の隙間をあけるだけで内部空間５０ａに安定して収容し得るような内径（例えば１２〜１３ｍｍ）を有する円筒状に構成されている。また、遊技球導入部５２の前側上部には、蓋体５３が閉塞位置（図５に示す状態）にあるときその旨の検知信号を主基板３０に出力する蓋体検知センサ５８が配設されている。
【００４５】
保留部５０は、上記構成により、放出規制弁５５の閉塞状態にて最大で５個の遊技球Ｂａを一旦保留した後、放出規制弁５５の開放動作でこれら遊技球Ｂａの全てを入賞口４８に向けて放出するように機能する。なお、本実施の形態では、保留装置２５によって一旦保留できる最大個数を５個として説明するが、保留可能な球数はこれに限定されるものではなく、例えば４個以下、或いは６個以上として適宜設定することが可能なものである。
【００４６】
また保留装置２５は、保留部５０の下方に備えた放出規制弁５５に対向する位置から前方に屈曲して透明板４６の表面に突出した後、下方に屈曲して入賞口４８上部の障害釘５６間の空隙５６ａに対向する開口５４ａを備えた放出案内路５４を具備している。開口５４ａは、障害釘５６の上部側から例えば１２〜１３ｍｍの距離をあけて位置している。
【００４７】
保留装置２５の前面側（遊技盤の表面側）には、図２ないし図４に示すように、例えば液晶パネル等からなる第２表示装置４６が配設されている。第２表示装置４６は、透明ないし半透明に構成されており、保留装置２５の保留部５０に前後方向に重なる位置（遊技盤の垂直方向に対して重なる位置）に、該保留部５０の全体を覆う形で配設されている。また、第２表示装置４６の表面は、遊技盤７の表面と前後方向の位置が一致するように配置されており、つまり遊技盤７の一部を構成する形となっている。またこの第２表示装置４６により保留装置２５の部分が蓋されて遊技領域７ａから遊技球Ｂａが侵入しないようになっている。
【００４８】
第２表示装置４６は、略全体が表示領域４６ａとなっており、その表示領域４６ａには半透明画像を表示するようになっている。つまり、第２表示装置４６の表示領域４６ａに所望の画像を表示しても、保留装置２５の保留部５０が透視し得るようになっており、保留部５０に保留・放出される遊技球Ｂａを視認し得るようになっている。
【００４９】
次に、本実施の形態におけるパチンコ機１の制御系を図６に沿って説明する。すなわち、本制御系は、主基板３０と、この主基板３０に接続されたサブ基板４２とを備えている。主基板３０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００５０】
主基板３０は、入賞判定手段３１、入賞信号出力手段３２、第１抽選手段３３、第２抽選手段３４、遊技制御手段３５、保留手段３６、作動制御手段３７、作動判定手段３８、作動決定手段３９、及び放出抽選手段７０を備えている。また主基板３０には、蓋体開閉ソレノイド６４、規制弁開閉ソレノイド４０、始動チャッカー開閉ソレノイド４５、アタッカー開閉ソレノイド４１、蓋体検知センサ５８、及び規制弁検知センサ６５が接続されている。
【００５１】
入賞判定手段３１は、発射ハンドル９の操作で作動する発射装置（図示せず）によって遊技領域７ａに打ち出された遊技球が始動チャッカー１６、入賞口２７，２９、放出抽選用入賞口２８の何れかに入賞したとき、当該入賞があった旨を判定する。また入賞判定手段３１は、入賞口４８への入賞時にも当該入賞があった旨を判定する。
【００５２】
入賞信号出力手段３２は、入賞判定手段３１によって入賞が判定されたとき、対応する始動チャッカー１６、入賞口２７，２９，４８、或いは放出抽選用入賞口２８に入賞した旨の入賞信号を出力する。
【００５３】
第１抽選手段３３は、始動チャッカー１６に遊技球が入賞した際であって、入賞信号出力手段３２からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００５４】
第２抽選手段３４は、第１抽選手段３３での大当たり抽選で確変当たりに当選した場合、不図示の演出用メモリに格納された演出乱数値に基づく抽選で、変動の結果、確変当たりに対応する「１１１」、「３３３」や「７７７」等の図柄がメイン表示画面４７の大当たり有効ライン上で最終的に揃う旨の変動パターンを決定し、その旨の変動パターンコマンドを後述の遊技制御手段３５に出力する。なお、上記「大当たり有効ライン」は、大当たりを得るため図柄が一列に並ぶべき位置（ライン）を意味する。
【００５５】
また、第２抽選手段３４は、第１抽選手段３３での大当たり抽選で通常当たりが当選した場合、演出乱数値に基づく抽選で、変動の結果、通常当たりに対応する「２２２」、「４４４」や「８８８」等の図柄がメイン表示画面４７の大当たり有効ライン上で最終的に揃う旨の変動パターンを決定し、この変動パターンコマンドを後述の遊技制御手段３５に出力する。
【００５６】
更に、第２抽選手段３４は、第１抽選手段３３での大当たり抽選で外れた場合、演出乱数値に基づく抽選で、変動の結果、外れに対応する「２５２」、「４６４」や「８３８」等の図柄がメイン表示画面４７の大当たり有効ライン上で最終的に揃う旨の変動パターンを決定し、この変動パターンコマンドを後述の遊技制御手段３５に出力する。
【００５７】
保留手段３６は、第２抽選手段３４から出力された変動パターンコマンドを入力し、始動チャッカー１６への入賞の都度に行われた抽選の結果となる保留球として順次記憶する。当該記憶状況は、メイン表示装置４７に備えた保留球表示部（図示せず）に、例えば最大４個の保留球として点灯表示される。保留手段３６は、例えば保留球数Ｈが０＜Ｈ＜５であるか否かを常時判定し、保留球数Ｈが４個表示されている間は、始動チャッカー１６への入賞に拘わらず大当たり抽選は行わない。なお、保留球として点灯表示される保留球数は上記「最大４個」に限らず、例えば３個以下、又は５個以上として適宜設定することも可能である。
【００５８】
そして保留手段３６は、保留（記憶）している変動パターンコマンドを順次表示制御手段４４に送信し、この送信した変動パターンコマンドに基づく演出表示が終了するまでは次の変動パターンコマンドを送信しないようにするための図柄変動禁止フラグを立てる（オンする）と共に、当該オンした図柄変動禁止フラグを解除する時間を計測するための図柄変動タイマ（図示せず）をセットし、変動パターンコマンドの送信に応じて保留球数を１デクリメントする。また保留手段３６は、保留球の消費に応じて保留球数ＨがＨ＜４となった場合、第１抽選手段３３で行われる始動チャッカー１６への入賞に応答した大当たり抽選の結果を保留球として記憶し、保留球数を１インクリメントする。
【００５９】
一方、放出抽選手段７０は、上記放出抽選用入賞口２８に遊技球が入賞した際に、保留装置５０の動作、即ち当たり・外れの抽選を不図示の抽選用メモリから当たり当選乱数値を取得する形で行う。また、放出抽選手段７０は、その抽選結果に基づき、当たりに対応する「３３」や「７７」等、或いは外れに対応する「１２」や「５４」等の図柄が第２表示装置４６の当たり有効ライン上で最終的に揃う旨の変動パターンを決定し、この変動パターンコマンドを後述の遊技制御手段３５に出力する。
【００６０】
遊技制御手段３５は、予め設定された大当たり用の演出データに応じて、第２抽選手段３４での抽選結果に基づき、メイン表示装置４７に表示すべき演出内容に関する信号を、制御コマンドと共にサブ基板４２の第１表示制御手段４４に送信する。また、遊技制御手段３５は、予め設定された保留装置用の演出データに応じて、放出抽選手段７０での抽選結果に基づき、第２表示装置４６に表示すべき演出内容に関する信号を、制御コマンドと共にサブ基板４２の第２表示制御手段７１に送信する。
【００６１】
作動制御手段３７は、後述する作動決定手段３９の作動開始決定の旨の信号に基づき、蓋体開閉ソレノイド６４に駆動信号を送って該ソレノイド６４を作動させて蓋体５３を開放又は閉塞動作させ、また、規制弁開閉ソレノイド４０に駆動信号を送って該ソレノイド４０を作動させて放出規制弁５５を開放又は閉塞動作させる。また作動制御手段３７は、作動決定手段３９の作動開始決定の旨の信号に基づき、始動チャッカー開閉ソレノイド４５に駆動信号を送って該ソレノイド４５を作動させて始動チャッカー１６を開放又は閉塞動作させる。更に作動制御手段３７は、アタッカー開閉ソレノイド４１に駆動信号を送って該ソレノイド４１を作動させ、第１抽選手段３３での抽選による大当たり発生時にアタッカー１７を開放して所定数入賞が終了する（又は所定時間が経過する）毎に閉塞する動作を所定回数（所定ラウンド）だけ繰り返すように制御する。
【００６２】
作動判定手段３８は、蓋体開閉ソレノイド６４、規制弁開閉ソレノイド４０、始動チャッカー開閉ソレノイド４５、アタッカー開閉ソレノイド４１を作動させるための条件を満たすか否かを判定する。蓋体開閉ソレノイド６４にあって、蓋体５３の開放の「条件を満たす」時とは、例えば、規制弁検知センサ６５の検知に基づいて放出規制弁５５の閉塞が検出された場合であり、蓋体５３の閉塞の「条件を満たす」時とは、例えば、放出規制弁５５の開放動作の直前と判定された場合である。規制弁開閉ソレノイド４０にあって、放出規制弁５５の開放の「条件を満たす」時とは、例えば上記放出抽選手段７０の抽選結果が当たりの場合であって、特にサブ表示画面４６の図柄が確定した状態であり、放出規制弁５５の閉塞の「条件を満たす」時とは、例えば、保留装置２５の保留部５０から放流されている遊技球が落下し終える時間（例えば１秒）を経過した場合である。
【００６３】
また、始動チャッカー開閉ソレノイド４５にあって、始動チャッカー１６の開閉の「条件を満たす」時とは、主基板３０において第１抽選手段３３の大当たり抽選とは別途行われる抽選で当選した場合である。アタッカー開閉ソレノイド４１にあって、アタッカー１７の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー１７の閉塞の「条件を満たす」時とは、大当たり発生時における１ラウンドの入賞を完了した場合（或いは所定時間経過した場合）である。
【００６４】
作動決定手段３９は、作動判定手段３８からの判定信号を受けて、蓋体開閉ソレノイド６４、規制弁開閉ソレノイド４０、始動チャッカー開閉ソレノイド４５、アタッカー開閉ソレノイド４１の作動開始をそれぞれに決定する。
【００６５】
また蓋体開閉ソレノイド６４は、作動制御手段３７から送信された駆動信号に応答してプランジャ（図示せず）を進退動作させて、蓋体５３を開閉動作させる。
【００６６】
規制弁開閉ソレノイド４０は、作動制御手段３７から送信された駆動信号に応答してプランジャ（図示せず）を進退動作させて、放出規制弁５５を開閉動作させる。
【００６７】
始動チャッカー開閉ソレノイド４５は、作動制御手段３７から送信された駆動信号に応答してプランジャ（図示せず）を進退動作させて、始動チャッカー１６を開閉動作させる。
【００６８】
アタッカー開閉ソレノイド４１は、作動制御手段３７から送信された駆動信号に応答してプランジャ（図示せず）を進退動作させて、アタッカー１７を開閉動作させる。
【００６９】
蓋体検知センサ５８は、蓋体５３が閉塞位置（図５に示す状態）にあるときその旨の検知信号を主基板３０に出力する。
【００７０】
規制弁検知センサ６５は、放出規制弁５５が閉塞位置（図４に示す状態）と開放位置（図５に示す状態）の何れにあるかを検知してその旨の信号を主基板３０に送信する。
【００７１】
一方、サブ基板４２は、演出制御手段４３、第１表示制御手段４４、及び第２表示制御手段７１を有しており、サブ基板４２には、放音装置１１、演出用照明装置１０、メイン表示装置４７、及び第２表示装置４６が接続されている。
【００７２】
演出制御手段４３は、主基板３０中の上記マイクロプロセッサから供給される信号に従って、放音装置１１、演出用照明装置１０を適時駆動して、遊技者の視覚及び聴覚に訴える演出表示を行う。
【００７３】
第１表示制御手段４４は、遊技制御手段３５から送信された演出内容に関する信号に従ってメイン表示装置４７を適時駆動し、大当たり抽選の結果等を遊技者の視覚に訴えるように演出表示する。
【００７４】
第２表示制御手段７１は、遊技制御手段３５から送信された演出内容に関する信号に従って第２表示装置４６を適時駆動し、保留装置２５の放出に関する当たり抽選の結果等を遊技者の視覚に訴えるように演出表示する。
【００７５】
放音装置１１、演出用照明装置１０、メイン表示装置４７、及び第２表示装置４６は、上述したように各制御に応答して音、光等の発生により、通常時の演出や大当たり時における特別な演出等を行う。
【００７６】
次に、本パチンコ機１による大当たり抽選処理（つまり第１種特別電動役物としての処理）について、図７のフローチャートを併せて参照しつつ説明する。
【００７７】
すなわち、本パチンコ機１に対面して着座した遊技者が発射ハンドル９を握り、適宜の角度に回動操作すると（ステップＳ１）、発射装置（図示せず）の作動によって遊技球が所定の時間間隔で遊技領域７ａに向けて連続的に発射される。すると、遊技盤７の遊技領域７ａに打ち出されて転動落下する多数の遊技球は、始動チャッカー１６や入賞口２７，２９に適時入賞し、或いは、これらに関与せずに転動落下して、遊技領域７ａ最下部のアウト口２２から遊技盤７背面側に排出される。なお、放出抽選用入賞口２８に入賞した場合については、後述の保留装置の放出抽選処理において説明する。
【００７８】
そして、始動チャッカー１６に入賞した場合、入賞判定手段３１が当該入賞を判定し、且つ入賞信号出力手段３２が入賞信号を出力する（ステップＳ２）。この際、保留手段３６は、保留球Ｈが０＜Ｈ＜５であるか否かを常時判定しており、０＜Ｈ＜５を満たすと判定したときには、保留している変動パターンコマンドを、遊技制御手段３５を介して表示制御手段４４に順次送信し、図柄変動禁止フラグをオンすると共に、図柄変動タイマをセットし、変動パターンコマンドの送信に応じて保留球数を１デクリメントする。また保留手段３６は、当該保留球の消費に応じて保留球数ＨがＨ＜４となった場合、第１抽選手段３３で行われる始動入賞口１６への入賞に応じた大当たり抽選の結果を保留球として記憶し、保留球数を１インクリメントする。
【００７９】
そして、大当たり抽選で当選した場合（ステップＳ３）、第１抽選手段３３が当たりフラグをオンすると、第２抽選手段３４が、演出用メモリに格納された演出乱数値に基づく抽選で、大当たりの種別、つまり確変当たり又は通常当たりに対応する変動パターンを決定する。
【００８０】
これにより、ステップＳ４において、遊技制御手段３５は、その旨の変動パターンコマンドを第１表示制御手段４４に出力し、メイン表示装置４７に表示されるべき当たり図柄がセットされると共に、当該変動パターンコマンドに基づく演出表示が終了するまでは次の変動パターンコマンドを送信しないようにするために図柄変動禁止フラグをオンし、当該オンした図柄変動禁止フラグを解除する時間を計測するための図柄変動タイマをセットし、変動パターンコマンドの送信に応じて保留球数を１デクリメントする。一方、大当たり抽選で外れた場合には、第２抽選手段３４による演出用メモリに格納された演出乱数値に基づく抽選で、変動の結果、外れに対応する図柄が最終的に揃う旨の変動パターンが決定され、遊技制御手段３５によって、その旨の変動パターンコマンドを第１表示制御手段４４に出力する。これにより、メイン表示装置４７に表示される外れ図柄がセットされると共に、遊技制御手段３５は、図柄変動禁止フラグをオンし、図柄変動タイマをセットし、変動パターンコマンドの送信に応じて保留球数を１デクリメントする。
【００８１】
以上のようにして、遊技制御手段３５が、メイン表示装置４７に表示すべき演出内容に関する信号を制御コマンドと共にサブ基板４２の第１表示制御手段４４に送信することに基づき、第１表示制御手段４４が、メイン表示装置４７を適時駆動し、大当たり抽選結果に関する内容等を、遊技者の視覚に訴えるように演出表示することとなる（ステップＳ５）。
【００８２】
そして、第１抽選手段３３での抽選結果がメイン表示装置４７の画面上に表れると、作動制御手段３７が、作動判定手段３８の判定後に、作動決定手段３９の作動開始決定の旨の信号に基づき、所定のタイミングでアタッカー開閉ソレノイド４１に駆動信号を送り、当該ソレノイド４１を作動させてアタッカー１７を開放し、所定数入賞が終了する（又は所定時間が経過する）毎に閉塞する動作を所定回数（所定ラウンド）だけ繰り返させる。これにより、アタッカー１７に入賞した遊技球に対応する多量の遊技球が球供給口１８から上皿１３に払い出されることとなる（ステップＳ６）。
【００８３】
次に、本パチンコ機１による保留装置２５の放出抽選処理について、図８のフローチャートを併せて参照しつつ説明する。
【００８４】
同様に、本パチンコ機１に対面して着座した遊技者が発射ハンドル９を握り、適宜の角度に回動操作すると（ステップＳ１１）、発射装置（図示せず）の作動によって遊技球が所定の時間間隔で遊技領域７ａに向けて連続的に発射される。すると、遊技盤７の遊技領域７ａに打ち出されて転動落下する多数の遊技球は、放出抽選用入賞口２８に適時入賞し、或いは、これらに関与せずに転動落下して、遊技領域７ａ最下部のアウト口２２から遊技盤７背面側に排出される。なお、始動チャッカー１６に入賞した場合は、同時進行で上述の大当たり抽選処理が行われる（図７参照）。
【００８５】
そして、放出抽選用入賞口２８に入賞した場合、入賞判定手段３１が当該入賞を判定し、且つ入賞信号出力手段３２が入賞信号を出力する（ステップＳ１２）。
【００８６】
放出抽選用入賞口２８の入選信号を受けた放出抽選手段７０は、上述のように保留装置２５の当たり・外れに関する抽選を行い（ステップＳ１３）、当たりを抽選した場合は、演出用メモリに格納された演出乱数値に基づく抽選で、当たりに対応する変動パターンを決定する。なお、外れを抽選した場合は、同様に外れに対応する変動パターンを決定する。
【００８７】
これにより、ステップＳ１４において、遊技制御手段３５は、その旨の変動パターンコマンドを第２表示制御手段７１に出力し、第２表示装置４６に表示されるべき当たり図柄又は外れ図柄がセットされる。なお、例えばこの変動パターンの図柄が確定するまでの間、放出抽選手段７０は、放出抽選用入賞口２８に遊技球Ｂａが入賞しても抽選を行わず、つまり保留球として抽選結果を保留しないものを一例に説明しているが、上記大当たり抽選処理と同様に、図柄の変動中における放出抽選用入賞口２８の入賞を所定数の保留球として保留するようにしてもよい。
【００８８】
以上のようにして、遊技制御手段３５が、第２表示装置４６に表示すべき演出内容に関する信号を制御コマンドと共にサブ基板４２の第２表示制御手段７１に送信することに基づき、第２表示制御手段７１が、第２表示装置４６を適時駆動し、保留装置２５の放出の抽選結果に関する内容等を、遊技者の視覚に訴えるように演出表示することとなる（ステップＳ１５）。
【００８９】
そして、放出抽選手段７０での抽選結果が第２表示装置４６の画面上に表れると、作動制御手段３７が、作動判定手段３８の判定後に、作動決定手段３９の作動開始決定の旨の信号に基づき、まず、当該ソレノイド６４により蓋体５３を閉止する。そして、蓋体検知センサ５８により蓋体５８が閉止していることが検知され、例えば所定時間（例えば３秒）経過後に、作動制御手段３７が、作動決定手段３９の作動開始決定の旨の信号に基づき、規制弁開閉ソレノイド４０に駆動信号を送り、当該ソレノイド４０を作動させて放出規制弁５５を開放し（図５参照）、所定時間（例えば１秒）後に当該ソレノイド４０により放出規制弁５５を閉止する。これにより、保留装置２５の保留部５０に例えば５個の遊技球Ｂａが保留され、該保留部５０に保留された例えば５個の遊技球Ｂａが入賞口４８に向けて放出されて、該入賞口４８に入賞した遊技球に対応する多量の遊技球が球供給口１８から上皿１３に払い出されることとなる（ステップＳ１６）。また、放出規制弁５５の閉止動作の直後は、作動制御手段３７からの駆動信号に応答して蓋体５３が開放作動させられ、保留装置２５では、遊技領域７ａに打ち出された遊技球Ｂａを再び受け入れ得る状態となる。
【００９０】
以上の処理の間において、規制弁開閉ソレノイド４０の作動で放出規制弁５５が閉止され、且つ蓋体開閉ソレノイド６４の作動で蓋体５３が開放された図４の状態では、不図示の障害釘の間を転動しつつ開口部５７に到達した遊技球Ｂａが該開口部５７に進入すると、保留装置２５の保留部５０に遊技球Ｂａが順次溜まっていき、５個目が溜まった時点から更に進入する遊技球Ｂａは、５個目の遊技球Ｂａの上部後方にて遊技盤７背面側に開口する排出口５１から排出されることとなる。
【００９１】
また、作動制御手段３７からの駆動信号に応答して放出規制弁５５を開放動作した場合には、図５に示すように、保留部５０に保留されていた５個の遊技球Ｂａが全て一斉に自重落下し、障害釘５６間の空隙５６ａを通って入賞口４８に入賞するが、この際、場合によっては、落下する遊技球Ｂａの一部が障害釘５６に接触し弾かれて、入賞し得ないこともある。また、放出規制弁５５の開放の時点で保留部５０には遊技球Ｂａが必ずしも５個保留されているとは限らず、入賞状況によって５個未満の保留状態となっていても、放出規制弁５５の開放が行われた際には、保留部５０内に存する遊技球Ｂａが全て一斉に落下される。
【００９２】
なお、本実施の形態において、保留装置２５における蓋体５３と放出規制弁５５との動作は、放出抽選手段７０により当たりが抽選された場合に、蓋体５３が開閉し、保留部５０に遊技球を保留し、放出規制弁５５を開閉し、保留装置２５としての放出を行うものを説明したが、その他の動作として、以下の（ア）ないし（ウ）の動作が考えられる。
（ア）通常状態で蓋体５３は閉止しておき、放出抽選手段７０により当たりが抽選された場合に、蓋体５３を所定時間開放して再び閉止し、放出規制弁５５を開閉して遊技球の放出を行う。
（イ）放出抽選手段７０により当たりが抽選された場合に、蓋体５３の開閉を行って保留部５０の保留を行うと共に、保留部５０に所定数（５個）の遊技球が保留された場合に、放出規制弁５５を開閉して遊技球の放出を行う。
（ウ）放出抽選手段７０による当たりの抽選を、蓋体５３の開閉に関する当選と放出規制弁５５の開閉に関する当選とに区分し、該抽選結果に基づき蓋体５３又は放出規制弁５５が別々に開閉することにより遊技球の放出を行う。具体的には、例えば「１１」や「５５」の場合に蓋体５３を所定時間開閉し、例えば「３３」や「７７」の場合に放出規制弁５５を開閉することが考えられる。
【００９３】
以上説明したように本発明に係るパチンコ機１によると、保留装置２５の保留部５０を、遊技盤７の表面側に打ち出された遊技球のうちの所定数を導入して遊技盤７の裏側にて保留し得るようにし（即ち遊技盤７の裏側に配置し）、第２表示装置４６を、遊技盤７の垂直方向に対して保留部５０に少なくとも一部が重なる位置に配置したので、それら保留装置２５と第２表示装置４６とを遊技盤７の盤面上に夫々別々の位置に配置する場合に比して、盤面上の遊技領域７ａが狭くなることを防ぐことができ、パチンコ機としての遊技性を損なうことを防ぐことができる。
【００９４】
また、それら保留装置２５の保留部５０と第２表示装置４６とが遊技球の通過する通り道を阻害しないように構成することができるので、遊技者が各入賞口２７，２８，２９や始動チャッカー１６等を狙うことを可能にするものでありながら、メイン表示装置４７、保留装置２５、第２表示装置４６などの盤面上の配置に関する設計自由度を向上することができ、パチンコ機としての趣向を増すことができる。
【００９５】
更に、保留装置２５の保留部５０に少なくとも一部が重なっている第２表示装置４６が、保留装置２５による放出の実行に関する抽選の結果、即ち放出抽選手段７０の抽選結果を表示するので、遊技者が一見して保留装置２５の動作に関して認識することができる。
【００９６】
また、遊技盤７に、放出抽選手段７０の抽選実行の契機となり得る入賞が行われる放出抽選用入賞口２８を備えたので、該放出抽選用入賞口２８に遊技球が入賞することにより放出抽選手段７０による抽選を実行させることができる。
【００９７】
更に、第２表示装置４６は、半透明画像を表示し得、保留部５０に対して遊技盤側（即ち手前側）に配置されるので、遊技者に保留部５０を視認させることができるものでありながら、画像を表示させることができる。
【００９８】
また、第２表示装置４６は、遊技盤７の表面の一部を構成するので、盤面上の遊技領域７ａを狭くすることを防ぐことができる。また、画像を表示するものでありながら、保留装置２５に遊技球が侵入することを防ぐ蓋部材として共用することができる。
【００９９】
＜第２の実施の形態＞
ついで、上記第１の実施の形態を一部変更した第２の実施の形態について図９ないし図１１に沿って説明する。図９は第２の実施形態における遊技盤を示す正面図、図１０は第２の実施の形態における保留装置及びサブ表示画面を示す拡大正面図、図１１は第２の実施の形態における保留装置及びサブ表示画面を示す側面断面図である。なお、本第２の実施の形態においては、上記第１の実施の形態と同様な部分に同符号を付し、その説明を省略する。
【０１００】
本第２の実施の形態に係るパチンコ機１の遊技盤７は、図９ないし図１１に示すように、保留装置２５の裏面側に、例えば液晶パネル等からなる第２表示装置８１が配設されている。第２表示装置８１は、不透明に構成されており、上下方向の中心部分が保留部５０に前後方向に重なる位置（遊技盤の垂直方向に対して重なる位置）であって、第２表示装置８１の２つの表示領域８１ａ，８１ｂが保留部５０の両側に突出する形で配置されている。この表示領域８１ａ，８１ｂには、所望の画像が表示し得るようになっていると共に、第２表示装置８１における保留部５０の裏面に対応する部分は、画像を表示しない非表示領域となっている。
【０１０１】
なお、この非表示領域は、第２表示装置８１が１枚のパネルからなり、画像データとして何も表示しないように構成したものであるが、これに限らず、保留部５０の裏側に対応する部分が隙間となるように２枚のパネルを並設したもの、つまり非表示領域にパネルが配置されないように構成したものでもよい。また、これらに限らず、保留部５０が透明部材からなるので、第２表示装置８１が１枚のパネルからなり、保留された遊技球の個数に応じて、保留された遊技球に隠れないように画像を表示するように構成してもよい。
【０１０２】
一方、保留装置２５の前面側（遊技盤の表面側）には、透明ないし半透明の透明板８０が配設されている。該透明板８０は、保留部５０に前後方向に重なる位置に、該保留部５０の全体を覆う形で配設されている。即ち、遊技者は、透明板８０を介して保留部５０や第２表示装置８１に表示される画像を視認し得るように構成されている。
【０１０３】
また、透明板８０の表面は、遊技盤７の表面と前後方向の位置が一致するように配置されており、つまり遊技盤７の一部を構成する形となっている。またこの透明板８０により保留装置２５の部分が蓋されて遊技領域７ａから遊技球Ｂａが侵入しないようになっている。なお、透明板８０の材料としては、例えばガラス材、アクリル系樹脂、ポリカーボネート系樹脂を挙げることができる。
【０１０４】
以上説明した部分を除き、第２の実施の形態に係るパチンコ機の構成や作用は、第１の実施の形態と同様であるので、その説明を省略する。
【０１０５】
以上説明したように本発明に係るパチンコ機１によると、保留装置２５の保留部５０を、遊技盤７の表面側に打ち出された遊技球のうちの所定数を導入して遊技盤７の裏側にて保留し得るようにし（即ち遊技盤７の裏側に配置し）、第２表示装置４６を、遊技盤７の垂直方向に対して保留部５０に少なくとも一部が重なる位置に配置したので、それら保留装置２５と第２表示装置４６とを遊技盤７の盤面上に夫々別々の位置に配置する場合に比して、盤面上の遊技領域７ａが狭くなることを防ぐことができ、パチンコ機としての遊技性を損なうことを防ぐことができる。
【０１０６】
また、それら保留装置２５の保留部５０と第２表示装置４６とが遊技球の通過する通り道を阻害しないように構成することができるので、遊技者が各入賞口２７，２８，２９や始動チャッカー１６等を狙うことを可能にするものでありながら、メイン表示装置４７、保留装置２５、第２表示装置４６などの盤面上の配置に関する設計自由度を向上することができ、パチンコ機としての趣向を増すことができる。
【０１０７】
更に、保留装置２５の保留部５０に少なくとも一部が重なっている第２表示装置４６が、保留装置２５による放出の実行に関する抽選の結果、即ち放出抽選手段７０の抽選結果を表示するので、遊技者が一見して保留装置２５の動作に関して認識することができる。
【０１０８】
また、遊技盤７に、放出抽選手段７０の抽選実行の契機となり得る入賞が行われる放出抽選用入賞口２８を備えたので、該放出抽選用入賞口２８に遊技球が入賞することにより放出抽選手段７０による抽選を実行させることができる。
【０１０９】
更に、第２表示装置８１は、遊技盤７に対し、保留部５０の裏側に配置されるので、つまり遊技領域７ａ内に配置されずに、該遊技領域７ａを狭くすることを防ぐことができる。また、保留部２５の裏側に配置されるので、第２表示装置８１自体を透明化したり、半透明画像を表示したりすることを不要とすることができる。
【０１１０】
また、第２表示装置８１は、遊技盤７の垂直方向にて保留部５０と重ならない部分（即ち表示領域８１ａ，８１ｂ）に画像を表示するので、表示した画像が保留部５０に重なることを防ぐことができ、つまり表示した画像を遊技者に視認させるようにすることができる。
【０１１１】
更に、遊技盤７の垂直方向にて第２表示装置８１及び保留部５０に対応する位置に配置され、第２表示装置８１及び保留部５０を視認可能に透過すると共に遊技盤７の表面の一部を構成する透明板８０を備えたので、遊技者に第２表示装置８１及び保留部５０を視認させることができるものでありながら、保留装置５０に遊技球が侵入することを防ぐ蓋部材を構成することができる。
【０１１２】
なお、以上、本発明をその好適な実施の形態に基づいて説明したが、本発明の遊技機及びその遊技盤は、上記実施形態の構成にのみ限定されるものではなく、上記実施形態の構成から種々の修正及び変更を施した遊技機及びその遊技盤も、本発明の範囲に含まれる。
【０１１３】
また、第２表示装置４６，８１には、保留装置２５の放出に関する画像、即ち放出抽選手段７０の抽選結果を表示するものを主として説明したが、特に保留装置２５が動作していない場合やパチンコ機１自体が動作していない（遊技が行われていない）場合に、全く無関係な画像を表示してもよく、これらに限らず、どのような画像を表示するものであってもよく、つまり保留装置と第２表示装置との少なくとも一部が前後方向に重ねて配置されているものであれば、どのようなものであってもよい。
【図面の簡単な説明】
【０１１４】
【図１】第１の実施の形態におけるパチンコ機の外部構造を示す正面図である。
【図２】第１の実施の形態における遊技盤を示す正面図である。
【図３】第１の実施の形態における保留装置及びサブ表示画面を示す拡大正面図である。
【図４】第１の実施の形態における保留装置及びサブ表示画面を示す側面断面図である。
【図５】遊技球放出状態の保留装置を示す側面断面図である。
【図６】本パチンコ機の制御系を示すブロック図である。
【図７】本パチンコ機における大当たり抽選処理を示すフローチャートである。
【図８】本パチンコ機における保留装置の放出抽選処理を示すフローチャートである。
【図９】第２の実施形態における遊技盤を示す正面図である。
【図１０】第２の実施の形態における保留装置及びサブ表示画面を示す拡大正面図である。
【図１１】第２の実施の形態における保留装置及びサブ表示画面を示す側面断面図である。
【符号の説明】
【０１１５】
１    遊技機（パチンコ機）
７    遊技盤
１６    始動入賞口（始動チャッカー）
２５    保留装置
２８    放出抽選用入賞口
４６    第２表示装置
４７    第１表示装置（メイン表示装置）
４８    入賞口
５０    保留部
５３    導入側開閉弁（蓋体）
５５    放出側開閉弁（放出規制弁）
７０    放出抽選手段
８０    透明板
８１    第２表示装置
Ｂａ    遊技球
【図１】
2006109996.tif 000003
【図２】
2006109996.tif 000004
【図３】
2006109996.tif 000005
【図４】
2006109996.tif 000006
【図５】
2006109996.tif 000007
【図６】
2006109996.tif 000008
【図７】
2006109996.tif 000009
【図８】
2006109996.tif 000010
【図９】
2006109996.tif 000011
【図１０】
2006109996.tif 000012
【図１１】
2006109996.tif 000013